(57)【要約】【課題】プリンタ装置の両面印刷時における同一用紙上の印刷第一面と印刷第二面の印刷結果の位置精度向上を可能とする。【解決手段】印刷前の印刷用紙幅および長さを測定後、当該プリンタ装置において両面印刷を実行し、印刷後の印刷用紙幅および長さの測定を行ない、用紙幅・用紙長さについて縮小した長さを求め、データとして保存する。その後、ホスト・インターフェースから受信したデータからページ記述言語翻訳機能によって生成された描画データを主記憶に格納し、そのデータを参照し、印刷解像度に応じて縮小分のデータを用紙幅方向および用紙長さ方向のデータをマスクする制御を施し、印刷機構部へ転送される描画データを減少させることによって、印刷第二面の印刷結果を用紙の縮小に合わせて縮小させ、印刷書き出し位置調整を行う。【選択図】　　　　　図１
2004064288.tif 000002
【特許請求の範囲】
【請求項１】
両面印刷可能な印刷機構部と、印刷データを上位装置から受信し、前記印刷データを記憶装置に格納し、前記記憶装置から前記印刷機構部への印刷データ転送が可能な制御装置と、印刷第一面と印刷第二面のそれぞれの印刷処理後にトナーを定着させるための加圧加熱装置とを備えたプリンタ装置において、
印刷第二面の印刷データサイズの縮小を印刷データ書き出しドット位置調整と併せて実行することを特徴とするプリンタ装置における両面印刷時描画データサイズ制御方法。
【請求項２】
印刷前に印刷用紙幅および長さを測定し、印刷を実行後に印刷用紙幅および長さの測定を行ない、用紙幅・用紙長さについて縮小した長さのデータを取得し、本データを、当該用紙を格納する給紙装置に対応させた縮小後データとしてプリンタの記憶装置に保存し、上位装置から受信した印刷データを記憶装置に格納し、記憶装置から印刷機構部へ印刷第二面用の印刷データを転送する際に、前記縮小後データを参照して、印刷解像度に応じて前記縮小後データを用紙幅方向および用紙長さ方向のデータをマスクする制御を施し、印刷時に用紙水平方向及び送り方向の位置調整を行うことを特徴とする請求項１記載のプリンタ装置における両面印刷時描画データサイズ制御方法。
【発明の詳細な説明】
【０００１】
【発明の属する技術分野】
本発明は、両面印刷が可能な印刷機後部を有するプリンタ装置に関するものである。
【０００２】
【従来の技術】
プリンタ装置の印刷結果に対する精度の要求には、両面印刷時における表裏面の印刷位置の一致が含まれる。しかし、レーザープリンタ装置にみられるように、印刷第一面へトナーを配置し、これを印刷用紙に定着させるため、加圧加熱を行なった後に印刷第二面へのトナー配置および定着を行なう場合、印刷第一面へのトナー定着のための加圧加熱によって印刷用紙が縮小することが知られている。また、印刷第二面へのトナー定着のための加圧加熱による印刷用紙の縮小は無視できる程度であることも知られている。
【０００３】
この現象によって、印刷第一面のイメージは本来のサイズに比べ縮小が発生し、また、印刷第二面のイメージは本来のサイズと同等となるが、印刷用紙が縮小されているため、イメージのサイズが印刷第一面に対して相対的に拡大されることとなる。また、同じ書き出しドット位置より印刷を開始すると、用紙と印刷イメージの相対位置関係が変化し、イメージの中心と用紙の中心とのずれが発生する。これらにより、両面印刷結果において、印刷第一面イメージと印刷第二面イメージとにずれが発生する。
【０００４】
図３は、従来の技術によるプリンタ装置における両面印刷時印刷第一面と印刷第二面の印刷位置ずれ補正方法の一例である。本例において、印刷第一面および印刷第二面の印刷データ書き出し位置をそれぞれ調整することによって、印刷第一面と印刷第二面の水平方向位置を一致させる、または、印刷第二面の印刷においてイメージ中心位置と用紙中心位置を一致させることが可能となる。しかし、印刷第一面と印刷第二面とで、印刷結果において、イメージサイズの不一致が発生しているため、印刷開始位置の表裏一致と印刷第二面における用紙とイメージの印刷領域の一致を実現することは不可能であった。
【０００５】
【発明が解決しようとする課題】
本発明の課題は、プリンタ装置の両面印刷時における同一用紙上の印刷第一面と印刷第二面の印刷結果において、印刷後イメージサイズの一致をするための制御を、印刷位置を一致させるための制御と併せて実行し、プリンタ装置の印刷精度向上を可能とすることである。
【０００６】
【課題を解決するための手段】
上記課題を解決する為、本発明は、両面印刷可能な印刷機構部と、印刷データを上位装置から受信し、前記印刷データを記憶装置に格納し、前記記憶装置から前記印刷機構部への印刷データ転送が可能な制御装置と、印刷第一面と印刷第二面のそれぞれの印刷処理後にトナーを定着させるための加圧加熱装置とを備えたプリンタ装置において、印刷第二面の印刷データサイズの縮小を印刷データ書き出しドット位置調整と併せて実行することを特徴とする。
【０００７】
また、印刷前に印刷用紙幅および長さを測定し、印刷を実行後に印刷用紙幅および長さの測定を行ない、用紙幅・用紙長さについて縮小した長さのデータを取得し、本データを、当該用紙を格納する給紙装置に対応させた縮小後データとしてプリンタの記憶装置に保存し、上位装置から受信した印刷データを記憶装置に格納し、記憶装置から印刷機構部へ印刷第二面用の印刷データを転送する際に、前記縮小後データを参照して、印刷解像度に応じて前記縮小後データを用紙幅方向および用紙長さ方向のデータをマスクする制御を施し、印刷時に用紙水平方向及び送り方向の位置調整を行うことを特徴とする。
【０００８】
【発明の実施の形態】
本発明は、印刷前の印刷用紙幅および長さを測定したのち、当該プリンタ装置において両面印刷を実行し、印刷後の印刷用紙幅および長さの測定を行い、用紙幅・用紙長さについて縮小した長さを求める。本データを、当該用紙を格納する給紙装置に対応させたデータとして保存する。その後、上位装置（ホスト）から受信したデータからページ記述言語翻訳機能によって生成された描画データを主記憶に格納し、主記憶部から印刷機構部への描画データの印刷第二面に対するＤＭＡ転送が起動される際、印刷対象となる印刷用紙を格納する給紙装置に対応づけられた用紙の縮小に関するデータを参照し、印刷解像度に応じて縮小分のデータを用紙幅方向および用紙長さ方向のデータをマスクする制御を施し、印刷機構部へ転送される描画データを減少させることによって、印刷第二面の印刷結果を用紙の縮小に合わせて縮小させる。本発明による方法によって縮小されたイメージを印刷第二面に印刷することと、従来の方法による印刷書き出し位置調整を併用することで、印刷開始位置の表裏一致と印刷第二面における用紙とイメージの中心位置一致の両方を実現することを可能とする。前記のデータマスク方法において、マスクされるデータは幅方向、長さ方向ともに１ドット幅ずつとし、印刷可能領域全域から均等にデータのマスク対象データが選択されるような制御を加えることで、マスクされたデータ抜け落ちによる印刷結果への影響を抑えるものとする。
【０００９】
図１、図２を用いて、本発明による一実施例を説明する。
【００１０】
図２は、本発明によるプリンタ装置の構成例を示す。
【００１１】
プリンタ装置は、トナーを印刷用紙上に付着させる感光ドラム２０、加圧加熱定着装置１９、複数の給紙装置２２、用紙搬送経路２１および両面印刷を実現するための用紙反転装置１８を有する。
【００１２】
図１は本発明による両面印刷時印刷第一面と印刷第二面の印刷位置ずれ補正方法を示す。
【００１３】
図２の加圧加熱定着装置１９を通過した印刷用紙は、熱により印刷用紙縮小前サイズ２から印刷用紙縮小後サイズ３へと印刷用紙長さ収縮長１および印刷用紙幅収縮長４の分だけ縮小する。これにより、第一印刷面に印刷された印刷イメージも縮小されてしまう。印刷第二面のイメージサイズを印刷第一面のイメージサイズと一致させるため、印刷第二面の印刷データから、印刷用紙長さ収縮長１に相当する印刷第二面水平方向マスク対象ドットライン５のライン数を算出し描画データからマスクする。同様に、印刷第二面の印刷データから、印刷用紙幅縮小長４に相当する印刷第二面送り方向マスク対象ドットライン６のライン数を算出し描画データからマスクする。以上により、縮小された印刷第一面のイメージサイズに一致させるために印刷用紙縮小後印刷イメージデータサイズ８によるイメージデータを生成し、このデータを図２に示されるプリンタ装置に印刷第二面の印刷データとして転送する。
【００１４】
これに合わせて、用紙走行方向１３に対応した印刷第二面の水平方向書き出しドット位置調整９を施すことにより、位置調整された、印刷用紙縮小後印刷第二面水平方向書き出しドット位置調整後イメージ１１によるトナーが用紙上に配置され、印刷用紙縮小後水平方向書き出しドット位置調整後印刷第一第二面重ね合わせイメージ１４を得ることが可能となる。
【００１５】
このままでは、印刷第一面イメージ１６と印刷第二面イメージ１７の用紙上の位置関係は、用紙走行方向１３にずれが生じているため、印刷第二面水平・送り方向書き出しドット位置調整１０を施すことにより、位置調整された印刷用紙縮小後印刷第二面水平・送り方向書き出しドット位置調整後イメージ１２によるトナーが用紙上に配置され、印刷用紙縮小後水平・送り方向書き出しドット位置調整後印刷第一第二面重ね合わせイメージ１５を得ることが可能となる。
【００１６】
本発明により、印刷第一面と印刷第二面とで完全に一致したサイズおよび位置による印刷結果を得ることが可能となる。
【００１７】
【発明の効果】
本発明によれば、プリンタ装置の両面印刷時における同一用紙上の印刷第一面と印刷第二面の印刷結果において、印刷後イメージサイズの一致と印刷位置の一致を実現することが可能となる。
【図面の簡単な説明】
【図１】本発明による両面印刷時印刷第一面と印刷第二面の印刷位置ずれ補正方法を示す。
【図２】本発明によるプリンタ装置の構成例を示す図である。
【図３】従来の技術による両面印刷時印刷第一面と印刷第二面の印刷位置ずれ補正方法を示す。
【符号の説明】
１は印刷用紙長さ収縮長、２は印刷用紙縮小前サイズ、３は印刷用紙縮小後サイズ、４は印刷用紙幅収縮長、５は印刷第二面水平方向マスク対象ドットラインである。
【図１】
2004064288.tif 000003
【図２】
2004064288.tif 000004
【図３】
2004064288.tif 000005